(57)【要約】【課題】  溶融金属の拭き取り能力の耐久性を大幅に向上させた熱処理炉内の溶融金属ワイピング装置を提供する。【解決手段】  溶融金属浴槽から出てきた鋼帯を溶融金属浴槽と略等しい雰囲気温度に保持しつつ通板する保持帯において、該保持帯の側壁に回動自在に支持された、鋼帯を上下から挟む一対の回動棒と、該回動棒の前端に設けられたハンドルと、保持帯壁前面側に設けられた前記ハンドルの回動角度を固定する回動角度固定部と、前記回動棒に取り付けられて鋼帯の上面および下面に接触して溶融金属を拭き取るワイパーを備える。そして、前記ワイパーは、平面部と半円筒面部とを持つ本体と、その表面に取り付けられた拭き取り部材を備える。また、ワイパーは、前記半円筒面部の円中心を貫通して前記回動棒に取り付けられている。【選択図】        図２
2009215614.tif 000002
【特許請求の範囲】
【請求項１】
溶融金属浴槽から出てきた鋼帯を溶融金属浴槽と略等しい雰囲気温度に保持しつつ通板する保持帯において、
該保持帯の側壁に回動自在に支持された、鋼帯を上下から挟む一対の回動棒と、
該回動棒の前端に設けられたハンドルと、
前記保持帯前面側に設けられた前記ハンドルの回動角度を固定する回動角度固定部と、
前記回動棒に取り付けられて鋼帯の上面および下面に接触して溶融金属を拭き取るワイパーを備え、
前記ワイパーは、平面部と半円筒面部とを持つ本体と、その表面に巻き付けられた耐熱性の拭き取り部材を備え、前記半円筒面部の円中心を貫通して前記回動棒に取り付けられた溶融金属ワイピング装置。
【請求項２】
前記ワイパーは、対向する一対の平面部と対向する一対の半円筒面部とからなる断面小判状の本体とを持つ請求項１に記載の溶融金属ワイピング装置。
【請求項３】
溶融金属浴槽から出てきた鋼帯を溶融金属浴槽と略等しい雰囲気温度に保持しつつ通板する保持帯において、
該保持帯の側壁に回動自在に支持された、鋼帯を上下から挟む一対の回動棒と、
該回動棒の前端に設けられたハンドルと、
前記保持帯前面側に設けられた前記ハンドルの回動角度を固定する回動角度固定部と、
前記回動棒に取り付けられて鋼帯の上面および下面に接触して溶融金属を拭き取るワイパーを備え、
前記ワイパーは、円筒本体と、その表面に巻き付けられた耐熱性の拭き取り部材を備え、前記円筒本体の円中心を貫通して前記回動棒に取り付けられた溶融金属ワイピング装置。
【請求項４】
前記拭き取り部材は紐状体からなり、前記ワイパー本体の軸線に対し斜めに巻き付けられた請求項１または２または３に記載の溶融金属ワイピング装置。
【請求項５】
前記拭き取り部材はフェルト状体または布状体からなり、前記ワイパー本体の軸線に対し鉢巻状に巻き付けられた請求項１または２または３に記載の溶融金属ワイピング装置。
【請求項６】
前記回動軸を鋼帯送り方向に対し、巻付き角度が増加する方向に傾斜させた
請求項４記載の溶融金属ワイピング装置。
【請求項７】
前記回動軸を鋼帯送り方向に対し傾斜させた請求項５記載の溶融金属ワイピング装置。
【請求項８】
対向する一対の平面部と対向する一対の半円筒面部とからなる断面小判状の本体と、その表面に巻き付けられた耐熱性の拭き取り部材を備え、前記拭き取り部材は紐状体からなり、前記本体の軸線に対し斜めに巻き付けられたワイパー。
【請求項９】
円筒本体と、その表面に巻き付けられた耐熱性の拭き取り部材を備え、前記拭き取り部材はフェルト状体または布状体からなり、前記本体の軸線に対し鉢巻状に巻き付けられワイパー。
【発明の詳細な説明】
【技術分野】
【０００１】
本発明は、鋼帯に付着した溶融金属を除去する溶融金属ワイピング装置およびワイパーに関する。
【背景技術】
【０００２】
従来、加熱帯と、溶融金属浴を備えた急冷帯と、前記溶融金属浴の浴温に略等しい雰囲気温度に保持された保持帯とを、この順に連接されてなる熱処理炉において、鋼帯を連続的に通板して熱処理を施す恒温熱処理が行われる。そして、溶融金属浴から出た鋼帯に付着した溶融金属を除去する技術として、次のようなものがあった。
【０００３】
従来の第１例では、鋼帯を上下からパッド（ＳＵＳフェルト，カーボンファイバー等からなる）で挟み込むものがあった。また、第２例では、鋼帯を上下からワイヤーブラシで挟み込むものがあった（特許文献１）。なお、参考文献として、特許文献２，３がある。
【０００４】
【特許文献１】特開２００５−１２０４５４
【特許文献２】特願昭５７−２０３７２３号
【特許文献３】特開２０００−０２４７１１
【発明の開示】
【発明が解決しようとする課題】
【０００５】
しかしながら、第１例では、使用していくうちに鋼帯との接触面が磨耗して、その部分に凹部による段差ができ、パッドを押さえても鋼帯に接触しなくなる。このため、溶融金属の拭き取り能力が低下してくる。そして、パッドは１面しか使えないので、パッド自体を交換しなければならない。
【０００６】
また第２例では、ワイヤーブラシの線材の隙間に毛細管現象で溶融金属が入り込み、徐々に溶融金属の拭き取り能力が低下してくる。
【０００７】
本発明は上記課題を解決し、溶融金属の拭き取り能力の耐久性を大幅に向上させた熱処理炉内の溶融金属ワイピング装置を提供することを目的とする。
【課題を解決するための手段】
【０００８】
本発明の課題解決手段は、溶融金属浴槽から出てきた鋼帯を溶融金属浴槽と略等しい雰囲気温度に保持しつつ通板する保持帯において、該保持帯の側壁に回動自在に支持された、鋼帯を上下から挟む一対の回動棒と、該回動棒の前端に設けられたハンドルと、保持帯壁前面側に設けられた前記ハンドルの回動角度を固定する回動角度固定部と、前記回動棒に取り付けられて鋼帯の上面および下面に接触して溶融金属を拭き取るワイパーを備える。そして、前記ワイパーは、平面部と半円筒面部とを持つ本体と、その表面に取り付けられた拭き取り部材を備える。また、ワイパーは、前記半円筒面部の円中心を貫通して前記回動棒に取り付けられている。
【０００９】
前記ワイパーは、対向する一対の平面部と対向する一対の半円筒面部とからなる断面小判状の本体とを持つ場合がある。また、円筒本体と、その表面に巻き付けられた耐熱性の拭き取り部材を備え、前記円筒本体の円中心を貫通して前記回動棒に取り付けられた場合がある。
【００１０】
前記ワイパーの拭き取り部材は紐状体からなり、前記ワイパー本体の軸線に対し斜めに巻き付けられた場合がある。この場合、前記回動軸を鋼帯送り方向に対し、巻付き角度が増加する方向に傾斜させてもよい。また、前記拭き取り部材はフェルト状体または布状体からなり、前記ワイパー本体の軸線に対し鉢巻状に巻き付けられた場合がある。この場合、前記回動軸を鋼帯送り方向に対し傾斜させてもよい。
【発明の効果】
【００１１】
本発明により、熱処理炉内の溶融金属のワイピング装置において、拭き取り能力の耐久性を大幅に向上させることが可能となった。
【発明を実施するための最良の形態】
【００１２】
以下に本発明の実施形態を図面に示す一実施例に基づき説明する。
図１，２において、保持帯Bは鉛，ビスマス他を含む溶融金属の浴槽（図示省略）から出てきた鋼帯Aを、徐冷しながら矢視方向へ送るようにしたものである。該保持帯の側壁には、鋼帯を上下から挟む一対の回動棒１，１が回動自在に支持されている。回動棒は前側壁B１の前軸受け２を介して貫通し、後側壁Ｂ２の内側に設けられた後軸受け３に支持されて、前側壁から進入退出可能となっている。
【００１３】
図２，３において、回動棒１の前端にハンドル４が設けられている。そして、ハンドルの近くで前側壁の前面側には、前記ハンドルの回動角度を固定する回動角度固定部５が設けられている。即ち、上の回動棒の上側には半円状の角度板５ａが、回動棒に直角で円弧部を上側にした姿勢で設けられ、回動棒を中心として１８０度の範囲で延びる円弧窓５ｂを持つ。この円弧窓を貫通したネジ棒５ｃがハンドルを貫通し、ネジ棒の前端に蝶ナット５ｄが螺合している。また、下の回動棒１の下側には、前記回動角度固定部５と同様のもの５が線対称状に設けられている。
【００１４】
図１，２，４において、前記回動棒1にワイパー１０が取り付けられて、鋼帯Ａの上面および下面に接触して溶融金属を拭き取る。前記ワイパーの断面小判状の本体１１は、対向する一対の平面部１１ａと対向する一対の半円筒面部１１ｂを持つ。小判状の端板１１ｃに一対の矩形板と一対の半円筒体が固定されたものである。そして、その表面に耐熱性の拭き取り部材１２として、紐状体１２ａが、ワイパー本体の軸線に対し斜めに巻きつけられ、両端付近において、ワイヤ13で巻きつけ固定されている。そして、前記半円筒面部１１ｂの円中心にある中心孔１１ｄを貫通して前記回動棒１に取り付けられる。
【００１５】
ここで、前記耐熱性の紐状体１２ａとして、耐熱金属線補強膨張黒鉛編組パッキン材が使用される。これはインコネル線で補強した膨張黒鉛のヤーンを断面角形に八編したものである。膨張黒鉛は耐熱性、耐化学薬品性、自己潤滑性、不浸透性に優れ、弾性に富む素材である。この部材として例えば、
ニチアス株式会社（住所：東京都港区芝大門１−１−２６）の製品のうち、[T／♯2280Ｓ]耐熱金属線補強膨張黒鉛編組パッキンが使用される。
【００１６】
以上において使用状態を説明する。ワイパー１０が磨耗してきたら、ハンドル４を操作して回動棒１を回し、未磨耗部を使用することが出来る。ここで、半円筒面部１１ｂが接触しているときは、線接触に近い状態であるが、平面部１１との境界部に近くなれば接触面積が増加する。更に、平面部１１のみを接触させれば、接触面積が大幅に増加し、それだけ拭き取り能力が向上する。この結果、全体的な耐久性が大幅に向上することになる。しかも、図１の仮想線示のごとく回動させれば、更に、耐久性が増す。また、回動棒１を炉壁から抜き出し、ワイパー１０をとりだし、反対側の半円筒面部１１ｂを接触させるように付け替えることもできる。
【００１７】
さてここで、図９，１０において、回動軸１が鋼帯送り方向に直角であり、紐体１２ａが回動軸直角方向(鋼帯送り方向)に傾斜角ｍで巻かれている。上側ワイパーの上側から見た状態で、紐体の隙間による溝は実線示で右側に角度ｍで傾斜し、鋼帯側では点線示で左側に角度ｍで傾斜している。
【００１８】
図１０において、隙間（溝）の鋼帯送り方向に沿う長さＬは，傾斜角ｍが増加するに従い短くなる。従って、溶融金属が入り込む機会が少なくなる。また、隙間の入口隅角で溶融金属が方向転換して鋼帯の一方端側（図示左方）へ寄せられ、鋼帯端部から落下して除去される。また、回動軸を鋼帯送り方向に対し、巻付き角度ｍが増加する方向に角度ｎ傾斜させれば、隙間溝の角度はｍ＋ｎとなり、溶融金属の鋼帯の一方端側への除去能力が向上する。
【００１９】
図５のように、前記拭き取り部材１２として、フェルト状体１２ｂが前記ワイパー本体の外周に鉢巻状に巻き付けられたものでもよい。そして、フェルト状体として、ＳＵＳフェルト（ステンレス繊維をフェルト状にしたもの），カーボンファイバー等からなるカーペット状，布状体に展延したものが使用される。
【００２０】
また図６，７のように、前記ワイパー１０は、円筒本体１１と、その表面に巻き付けられた耐熱性のフェルト状体または紐状体１２を備え、前記円筒本体端版１１ｃの円中心にある中心孔１１ｄを貫通して前記回動棒１に取り付けられたものでもよい。そして、前記紐状体１２ａは前記ワイパー本体の軸線に対し斜めに巻き付けられている。図８のように、フェルト状体１２ｂは前記ワイパー本体の軸線に対し鉢巻状に巻き付けられてもよい。
【００２１】
このように、ワイパーが磨耗してきたときに、ワイパーを回動させて未磨耗部を使うことができる。耐熱性のＳＵＳフェルト，カーボンファイバー等などを使用しているので、溶融金属に対する漏れ性が悪く、毛細管現象が起り難く、溶融金属の除去能力が長持ちする。円筒体ワイパーでは、ワイパーと鋼板の角度をどのように変えても線状の接触である。しかし、平面部１１ａと半円筒面部１１ｂを持つワイパーなら、鋼板に対して線より面に近い接触をさせて除去効果を高めることができる。また、膨張黒鉛を含む材料を使うと、耐熱性，耐摩耗性，溶融金属の浸透性の点で優れている。
【００２２】
本発明は前記した実施例や実施態様に限定されず、特許請求の範囲および範囲を逸脱せずに種々の変形を含む。
【産業上の利用可能性】
【００２３】
本発明は、熱処理炉内の溶融金属ワイピング装置およびワイパーに利用される。
【図面の簡単な説明】
【００２４】
【図１】本発明の一実施例の要部正面図である。
【図２】図１のＹ２−Ｙ２断面図である。
【図３】図２の左側面図である。
【図４】図２の要部平面図である。
【図５】図４に代る他の実施例の要部平面図である。
【図６】本発明の他の実施例の要部正面図である
【図７】図６の要部平面図である。
【図８】図７に代る他の実施例の要部平面図である。
【図９】図４に対応した紐体の巻き付け角の説明平面図である。
【図１０】図４に対応した紐体の巻き付け角の説明平面図である。
【符号の説明】
【００２５】
Ａ  鋼帯
Ｂ  保持帯
Ｂ１  前側壁
Ｂ２  後側壁
１  回動棒
２  前軸受け
３  後軸受け
４  ハンドル
５  回動角固定部
５ａ  角度板
５ｂ  円弧窓
５ｃ  ネジ棒
５ｄ  蝶ナット
１０  ワイパー
１１  本体
１１ａ  平面部
１１ｂ  半円筒面部
１１ｃ  端板
１１ｄ  中心孔
１２  拭き取り部材
１２ａ  紐状体
１２ｂ  フェルト状体
１３  ワイヤ
【図１】
2009215614.tif 000003
【図２】
2009215614.tif 000004
【図３】
2009215614.tif 000005
【図４】
2009215614.tif 000006
【図５】
2009215614.tif 000007
【図６】
2009215614.tif 000008
【図７】
2009215614.tif 000009
【図８】
2009215614.tif 000010
【図９】
2009215614.tif 000011
【図１０】
2009215614.tif 000012